(57)【要約】【課題】緊密に、搭載体と二つの接合体とを可動コマ本体に組立てることができる線形ガイドレールシステムを提供する。【解決手段】ガイドレールと摺動ブロックとが備えられ、摺動ブロックは、可動コマ本体と搭載体及び二つの接合体がある。可動コマ本体の前後両端に、それぞれ、定位板があり、定位板に、複数の押圧部材と複数の突出板とが備えられる。搭載体が、二つの定位板の間に設置される。二つの接合体が、それぞれ可動コマ本体の前後両端に設置される。二つの係合部材に、それぞれ、ホック部があり、係合部材のホック部が、二つの接合体の可動コマ本体の前後両端に係合される。ホック部が、押圧部材の一端に押圧し、二つの定位板の押圧部材のもう一端が、それぞれ、搭載体の前後両端面に押圧し、これにより、係合部材が、二つの接合体の可動コマ本体の両端に係合すると同時に、搭載体に対して圧迫する予圧力を生成する。【選択図】図１
0003138708.tif 000002
【実用新案登録請求の範囲】
【請求項１】
ガイドレールと、
該ガイドレールを跨るように設けられる摺動ブロックと、
が備えられ、
該摺動ブロックは、
その前後両端に、それぞれ、定位板があり、該定位板に、複数の貫通穴と複数の押圧部材及び複数の突出板があり、該貫通穴が、該定位板の前後両端に貫通し、該押圧部材が、該貫通穴内に設置され、該突出板が、該定位板から伸ばして成型され、該突出板に、該突出板を貫通させる係合穴がある可動コマ本体と、
該可動コマ本体の二つの定位板の間に設置される搭載体と、
それぞれ、複数のスロットと複数の該接合体上面から該スロットに連通する挿入孔とがあり、それぞれ、該可動コマ本体の前後両端に設置され、また、該可動コマ本体の突出板が、該スロット内に設置される二つの接合体と、
それぞれ、板体と複数の該板体から下へ延ばすホック部があり、該突出板の係合穴と該接合体の挿入孔に挿設されることにより、該二つの接合体が、該可動コマ本体の前後両端に係合され、該押圧部材の一端に押圧し、該二つの定位板の押圧部材が、それぞれ、該搭載体の前後両端面に押圧する二つの係合部材と、を備えることを特徴とする線形ガイドレールシステム。
【請求項２】
該押圧部材が、該貫通穴の上縁から下へ延ばして成型され、該押圧部材の一端に、斜面があり、該斜面が、該定位板の一端から該貫通穴の上縁に斜めに該貫通穴から伸び出し、該押圧部材に、押し部があり、該押し部が、該押圧部材のもう一端から伸ばして成型され、また、該定位板のもう一端と一致し、該ホック部が、該板体から下へ延ばして、横方向に成型され、該ホック部が、該突出板の下縁に係合され、また、該ホック部が、該定位板の一端に押圧し、該搭載体の前後両端面に、それぞれ、複数の凹槽があり、該押圧部材の押し部が、該凹槽に押圧することを特徴とする請求項１に記載の線形ガイドレールシステム。
【請求項３】
該搭載体は、二つの延ばし部があり、該二つの延ばし部の対向する両外側に、それぞれ、貼り付け面が設けられ、該可動コマ本体に、二つの該延ばし部に対応して成型される空洞部があり、該空洞部の下方において、該可動コマ本体の対応する両内側に、それぞれ、引受け面があり、該二つの延ばし部が、該二つの空洞部に挿入され、該二つの貼り付け面が、それぞれ、該二つの引受け面に貼り付けられることを特徴とする請求項１に記載の線形ガイドレールシステム。
【請求項４】
該可動コマ本体に、二つの該可動コマ本体の前後両端に貫通する第１のチャネルがあり、該二つの延ばし部において、対向する両内側に、それぞれ、該延ばし部の前後両端を連通する第１の連通槽が設けられ、該ガイドレールの両側に、該二つの第１の連通槽に対応する二つの第２の連通槽が設けられ、該二つの第１の連通槽と該二つの第２の連通槽とにより、それぞれ、二つの第２のチャネルが形成され、該可動コマ本体の前後両端に、それぞれ、二つの回転案内部が設置され、該回転案内部において、該第１のチャネルと該第２のチャネルの出口同士の間に、該回転案内部に位置するように円弧溝が設置され、該円弧溝が、該第１のチャネルと該第２のチャネルとの出口に連接されることを特徴とする請求項３に記載の線形ガイドレールシステム。
【請求項５】
該二つの接合体は、それぞれ、二つの湾曲槽が設けられ、該湾曲槽と該第１のチャネル、該第２のチャネル及び該回転案内部の円弧溝により、共通に回転循環経路を形成し、該摺動ブロックは、複数の転動素子が設置され、それらの転動素子が、保持器に設置され、それらの転動素子が、該保持器とともに、該回転循環経路に設置されることを特徴とする請求項４に記載の線形ガイドレールシステム。
【考案の詳細な説明】
【技術分野】
【０００１】
本考案は、線形ガイドレールシステムに関し、特に、摺動ブロックが緊密に係合され、精密な線形ガイドレールの作動効果が得られる線形ガイドレールシステムに関する。
【背景技術】
【０００２】
精密工業技術は、既に、現代高度科学技術文明の基礎の１つであり、精密工業技術の適用領域が、高度科学技術産業から伝統産業まで及ぶようになり、例えば、光電や半導体、時計工業、金型及びナノテクノロジー等には、精密工業技術を利用することが必要である。
【０００３】
精密工業領域において、線形ガイドレールは不可欠なものである。線形ガイドレールは、主として、精密に線形変位して、精密な機械に高精密度に移動や加工及び定位等の作業を行わせる。線形ガイドレールは、ガイドレールと、該ガイドレールにおいて線形的に相対に変位する摺動ブロックとからなる。該摺動ブロックは、複数の精密素子からなり、該摺動ブロックは、線形変位を行うオブジェクトを搭載するためのものである。
【０００４】
線形ガイドレールは、高精密作業に応用されるため、許容されるばらつきが限られるため、線形ガイドレール自身の微細な欠陥があっても、厳しい状況となり、それにより膨大な損失になる場合がある。
【０００５】
また、摺動ブロックは、可動コマ本体と搭載体及び二つの該可動コマ本体の前後両端に設置される接合体からなり、摺動可能に、三者一体に、ガイドレールに設けられる。また、摺動ブロックが、該ガイドレールにおいて、線形的に変位を行う時、縦方向（変位方向）に、作用力が発生するため、摺動ブロックの前後両端に位置する接合体に、それぞれ、圧力と引っ張り力が作用する。
【０００６】
従来の線形ガイドレールは、次のような欠点がある。
【０００７】
摺動ブロックが、ガイドレールにおいて、作動する時に発生した作用力は、該可動コマ本体の前後両端に位置する接合体等の組立て素子に作用し、そして、それらの組立て素子同士の間に位置する細微の隙間により、震動や騒音及び不正磨耗等の現象が発生し、それにより、線形ガイドレールは、大きなばらつきを発生する。
【０００８】
本考案者は、上記の欠点を改善すべく、慎重に研究開発して、また、学理に合わせて、設計が合理的で、有効に上記の欠点を改善できる本考案を提案した。
【考案の開示】
【考案が解決しようとする課題】
【０００９】
本考案の主な目的は、摺動ブロックに対して、予圧力を生成して、緊密に圧迫する効果が得られることにより、該摺動ブロックが、緊密的且つ安定的に組立てられる構造が得られ、そのため、震動や騒音及び磨損等の現象の発生を抑制することができる線形ガイドレールシステムを提供することである。
【課題を解決するための手段】
【００１０】
本考案は、上記の目的を達成するため、ガイドレールと、該ガイドレールを跨るように設けられる摺動ブロックと、が備えられ、該摺動ブロックは、其前後両端に、それぞれ、定位板があり、該定位板に、複数の貫通穴と複数の押圧部材及び複数の突出板があり、該貫通穴が、該定位板の前後両端に貫通し、該押圧部材が、該貫通穴内に設置され、該突出板が、該定位板から伸ばして成型され、該突出板に、該突出板を貫通させる係合穴がある可動コマ本体と、該可動コマ本体の二つの定位板の間に設置される搭載体と、それぞれ、複数のスロットと複数の該接合体上面から該スロットに連通する挿入孔とがあり、それぞれ、該可動コマ本体の前後両端に設置され、また、該可動コマ本体の突出板が、該スロット内に設置される二つの接合体と、それぞれ、板体と複数の該板体から下へ延ばすホック部があり、該突出板の係合穴と該接合体の挿入孔に挿設されることにより、該二つの接合体が、該可動コマ本体の前後両端に係合され、該押圧部材の一端に押圧し、該二つの定位板の押圧部材が、それぞれ、該搭載体の前後両端面に押圧する二つの係合部材と、を備える線形ガイドレールシステムである。
【００１１】
本考案によれば、該係合部材が、該スロット内に係合され、また、該定位板の押圧部材の一端に押圧するため、該係合部材は、該二つの接合体の該可動コマ本体の両端に係合するとともに、該搭載体の両端に対して、圧迫する予圧力が生成し、緊密的且つ安定的に該搭載体と該二つの接合体が該可動コマ本体に組立てられ、そのため、震動や騒音及び磨損等の現象の発生を抑制でき、線形ガイドレールが、スムーズに精密的に変位できる。
【考案の効果】
【００１２】
このような特徴を有する本考案によれば、摺動ブロックに対して、予圧力を生成して、緊密に圧迫する効果が得られることにより、該摺動ブロックが、緊密的且つ安定的に組立てられる構造が得られ、そのため、線形ガイドレールに対して震動や騒音及び磨損等の現象の発生を抑制することができる。
【考案を実施するための最良の形態】
【００１３】
以下、図面を参照しながら、本考案の特徴や技術内容について、詳しく説明するが、それは、ただ、参考や説明のためのものであり、本考案は、それによって制限されることがない。図１乃至図７は、本考案に係わる線形ガイドレールシステムであり、摺動ブロック１とガイドレール２とが備えられ、該摺動ブロック１は、該ガイドレール２を跨るように設けられ、線形的に該ガイドレール２を摺動でき、可動コマ本体１０と搭載体１２、二つの接合体１３及び二つの係合部材１４が備えられる。
【００１４】
図１乃至図３のように、該可動コマ本体１０は、前後両端に、それぞれ、上へ延ばす定位板１１があり、該定位板１１には、二つの貫通穴１１１と二つの押圧部材１１２及び二つの突出板１１３が備えられる。
【００１５】
図３を参照すると、該二つの貫通穴１１１が、該定位板１１の前後両端に貫通し、該押圧部材１１２が、該貫通穴１１１内に設置される。該押圧部材１１２は該貫通穴１１１の上縁から下へ延ばして成型され、また、該貫通穴１１１内において、弾性的に遥動できる。該押圧部材１１２に、斜面１１２１と押し部１１２２がある。該斜面１１２１が、該押圧部材１１２の一端に形成され、該斜面１１２１が、該定位板１１の一端において、該貫通穴１１１の上縁（即ち、該押圧部材１１２と該貫通穴１１１の隣接するところ）から斜めに該貫通穴１１１から延び出す。該押し部１１２２が、突出ブロックであり、該押圧部材１１２のもう一端の下縁から延ばして成型され、また、該定位板１１のもう一端面に一致する。
【００１６】
該突出板１１３が、該貫通穴１１１の上方に設置され、該突出板１１３は、該二つの定位板１１の一端から水平に延ばして成型される。該突出板１１３に、該突出板１１３の上下端面に貫通する係合穴１１３１がある。
【００１７】
該可動コマ本体１０上の隣接する両側に、二つの空洞部１１４があり、該二つの空洞部１１４が、該可動コマ本体１０の上下両端に貫通している。該二つの空洞部１１４の下方において、該可動コマ本体１０に対向する両内側に、それぞれ、引受け面１１５が形成される。
【００１８】
該可動コマ本体１０の両側の下に、二つの該可動コマ本体１０の前後両端に貫通する第１のチャネル１１６があり、該二つの第１のチャネル１１６が、該二つの引受け面１１５を挟んでいるもう一方の壁面に形成される。該可動コマ本体１０は、前後両端に、それぞれ、一対の回転案内部１１７が設けられ、該回転案内部１１７は、１８０度に湾曲する円弧溝１１７１があり、該円弧溝１１７１の一端が、該第１のチャネル１１６の出口側に接続される。
【００１９】
該搭載体１２は、該可動コマ本体１０の二つの定位板１１の間に設置され、二つの該二つの空洞部１１４に対応するように設置される延ばし部１２１がある。該二つの延ばし部１２１が、該搭載体１２の底端から下へ延び、該二つの延ばし部１２１の対向する内側面には、それぞれ、第１の連通槽１２１１があり、該第１の連通槽１２１１は、縦方向に、該延ばし部１２１の前後両端に貫通するように形成される。該二つの延ばし部１２１の対向する外側に、それぞれ、湾曲面である貼り付け面１２１２があり、該貼り付け面１２１２は、該引受け面１１５に対応するように成型され、該搭載体１２の二つの延ばし部１２１が、それぞれ、該可動コマ本体１０の二つの空洞部１１４に挿設される。これにより、該貼り付け面１２１２と該引受け面１１５とが緊密に貼り付けられ、また、両者の間に、粘着剤が塗布され、該搭載体１２を該可動コマ本体１０に固着する。
【００２０】
図１と図２及び図５のように、該ガイドレール２は、両側に、それぞれ、第２の連通槽２１があり、該第１の連通槽１２１１が、該第２の連通槽２１に対応するように成型される。該搭載体１２が、該可動コマ本体１０上に固着された後、該二つの延ばし部１２１の第１の連通槽１２１１が、該ガイドレール２の両側に位置する第２の連通槽２１とともに、それぞれ、二つの該可動コマ本体１０の前後両端に貫通する第２のチャネル１６が形成される。該回転案内部１１７が、該第１のチャネル１１６と該第２のチャネル１６との間に設置され、また、該円弧溝１１７１の両端が、それぞれ、該第１のチャネル１１６と該第２のチャネル１６の出口側に接続される。
【００２１】
図４のように、該搭載体１２は、前後両端に、それぞれ、凹槽１２２がある。該二つの凹槽１２２が、該押圧部材１１２の押し部１１２２に対応して成型され、これにより、該押し部１１２２が、該凹槽１２２内に押圧するようになる。
【００２２】
該二つの接合体１３は、該可動コマ本体１０の両端面と該ガイドレール２の横断面に対応するように成型され、それぞれ、該可動コマ本体１０の前後両端に設置される。また、二つのスロット１３１と二つの該接合体１３の上面から該スロット１３１に連通する挿入孔１３２があり、該可動コマ本体１０の突出板１１３が、該スロット１３１内に設置され、また、該突出板１１３の係合穴１１３１が、該挿入孔１３２に対応するように設置される。
【００２３】
図１と図６を参照すると、該接合体１３は、該可動コマ本体１０に対向する一端に、二つの湾曲槽１３３があり、該湾曲槽１３３が、該回転案内部１１７の円弧溝１１７１に対応して成型され、該湾曲槽１３３が、該第１のチャネル１１６と該第２のチャネル１６及び該円弧溝１１７１とともに、回転循環経路３を形成する。即ち、該摺動ブロック１は、該ガイドレール２の両側に、それぞれ、閉鎖された回転経路である二つの回転循環経路３が形成され、これにより、転動素子４が、摺動ブロック１とガイドレール２との間において、循環運動を行う。
【００２４】
該摺動ブロック１は、複数の転動素子４が設置され、それらの転動素子４は、ボールや針状ころ或いはピンころ（本実施例において、ボールである）であり、それらの転動素子４が、ともに、保持器５に設置される。該保持器５は、それらの転動素子４を、１つ１つ隔離して、一列に該回転循環経路３に設置する。これにより、それらの転動素子４の作用を利用して、摺動ブロック１が、該ガイドレール２において、スムーズに線形変位できる。
【００２５】
該二つの接合体１３は、該可動コマ本体１０に対応するもう一端に、ワイパー１５が設置される。該ワイパー１５を該ガイドレール２の表面に貼り付け、該摺動ブロック１が、該ガイドレール２において作動する時、同時に、該ガイドレール２上のゴミを拭き取って、ゴミが回転循環経路３に入り、摺動ブロック１の作動効果に影響することを防止できる。
【００２６】
該二つの係合部材１４は、それぞれ、板体１４１と、該板体１４１から下へ延ばして横方向に成型される二つのホック部１４２とが備えられる。該二つの係合部材１４のホック部１４２は、それぞれ、該突出板１１３の係合穴１１３１と該接合体１３の挿入孔１３２に挿入され、これにより、該二つの接合体１３が、該可動コマ本体１０の前後両端に係合される。
【００２７】
図７のように、上記の素子により、線形ガイドレールが構成され、また、該摺動ブロック１は、該ガイドレール２において、予定の線形変位を行うことができる。
【００２８】
また、該係合部材１４のホック部１４２は、該摺動ブロック１の横方向に成型されるため、該突出板１１３の下縁に係止できるだけでなく、該ホック部１４２の一端も、該定位板１１の隣接する該貫通穴１１１の周囲に（図５のように）押圧するため、該摺動ブロック１が作動する時、縦方向に、定位板１１に対して係合する効果が得られる。
【００２９】
該ホック部１４２が、該突出板１１３に係止するとともに、該ホック部１４２が、該スロット１３１において、該押圧部材１１２の一端に位置する斜面１１２１に押圧し、該押圧部材１１２の押し部１１２２が、該定位板１１のもう一端から延び出して、該搭載体１２の凹槽１２２内に押圧するため、即ち、該二つの定位板１１の押圧部材１１２が、同時に、該搭載体１２の前後両端面に押圧することができる。
【００３０】
本考案によれば、該係合部材１４が、該スロット１３１内に係合し、また、該定位板１１の押圧部材１１２の一端に押圧するため、該係合部材１４が、該二つの接合体１３の該可動コマ本体１０の両端に係合すると同時に、該搭載体１２の両端に対して、圧迫する予圧力が生成する。このため、緊密に且つ安定的に該搭載体１２と該二つの接合体１３は、該可動コマ本体１０に組立てられ、そのため、震動や騒音及び磨耗等の現象の発生を抑制でき、線形ガイドレールが、スムーズに精密に変位できるようになる。
【００３１】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００３２】
【図１】本考案に係わる線形ガイドレールシステムの斜視分解図
【図２】本考案に係わる線形ガイドレールシステムの一部の斜視分解図
【図３】本考案に係わる線形ガイドレールシステムの可動コマ本体の断面図
【図４】本考案に係わる線形ガイドレールシステムの組立て断面図
【図５】本考案に係わる線形ガイドレールシステムの正面図
【図６】本考案に係わる線形ガイドレールシステムの循環回転経路の概念図
【図７】本考案に係わる線形ガイドレールシステムの斜視組立て図
【符号の説明】
【００３３】
１  摺動ブロック
１０  可動コマ本体
１１  定位板
１１１  貫通穴
１１２  押圧部材
１１２１  斜面
１１２２  押し部
１１３  突出板
１１３１  係合穴
１１４  空洞部
１１５  引受け面
１１６  第１のチャネル
１１７  回転案内部
１１７１  円弧溝
１２  搭載体
１２１  延ばし部
１２１１  第１の連通槽
１２１２  貼り付け面
１２２  凹槽
１３  接合体
１３１  スロット
１３２  挿入孔
１３３  湾曲槽
１４  係合部材
１４１  板体
１４２  ホック部
１５  ワイパー
１６  第２のチャネル
２  ガイドレール
２１  第２の連通槽
３  回転循環経路
４  転動素子
５  保持器
【図１】
0003138708.tif 000003
【図２】
0003138708.tif 000004
【図３】
0003138708.tif 000005
【図４】
0003138708.tif 000006
【図５】
0003138708.tif 000007
【図６】
0003138708.tif 000008
【図７】
0003138708.tif 000009